【事件の表示】
　平成１０年特許願第３４８４６４号「テープドライブ装置」拒絶査定不服審判事件〔平成１２年　６月２３日出願公開、特開２０００−１７３２４１〕について、次のとおり審決する。
【結　論】
　本件審判の請求は、成り立たない。
【理　由】
１．手続の経緯
　本願は、平成１０年１２月８日の出願であって、平成１９年１０月１日付けで拒絶理由が通知されて平成１９年１２月７日付けで手続補正がなされたが、平成２０年１月１１日付けで拒絶査定がされ、これに対し、平成２０年２月２１日付けで拒絶査定不服審判が請求されるとともに、平成２０年３月２４日付けで手続補正がなされ、その後、平成２２年５月２４日付けで、前置報告書を利用した審尋を行ったところ、平成２２年７月２０日付けで回答書が提出されたものである。
　
２．本願発明
　本願の請求項１に係る発明は、平成２０年３月２４日付けで手続補正された明細書の、特許請求の範囲の請求項１に記載されたとおりのものと認められるところ、請求項１に係る発明は、次のとおりである（以下、「本願発明」という。）。
「【請求項１】　磁気テープが収納されたテープカセットが装填された際に、その磁気テープに対して情報の記録または再生を行なうことができるテープドライブ手段と、
　装填された上記テープカセットに、上記磁気テープに対する記録または再生を管理するための管理情報を記憶するメモリが備えられている場合に、そのメモリに対して管理情報の読み出しまたは書込みを行なうことができるメモリドライブ手段と、
　上記テープドライブ手段の動作として、上記磁気テープ上の現在位置から所要のパーティションにおける目標位置にアクセスできるように制御を実行することのできるアクセス制御手段と、
　装填されたテープカセットのメモリに、上記磁気テープに形成されるパーティションごと対応する情報として、パーティションが記録再生位置に導出されたものとする回数を示すアクセス回数情報が記憶可能とされている場合に、上記アクセス制御手段の制御によるアクセス動作の実行に際して、上記現在位置を含む現パーティションと、上記目標位置を含む目標パーティションと、これら現パーティションと目標パーティションの間に１以上の中間パーティションがある場合においてはこの中間パーティションを含む各々のパーティションにに対応するアクセス回数情報をインクリメントして更新するように、そのアクセス動作完了後において、上記メモリドライブ手段を制御するメモリドライブ制御手段と　を備えているテープドライブ装置。」
　
　ここで、「各々のパーティション
にに
に
　
３．引用発明
（１）原査定の拒絶の理由に引用された特開平９−１７１６７３号公報
（平成９年６月３０日公開、以下「引用例」という。）には、図面とともに、次の記載がある（なお、下線は当審で付与した。）。
　
ア．「【特許請求の範囲】
【請求項１】  ディジタルデータが記録される磁気テープと、上記磁気テープに関連する情報が記憶される不揮発性メモリとを備え、
上記磁気テープを複数のパーティションに分割し、上記パーティション毎にデータを記録すると共に、
上記テープの使用回数に関する情報を上記パーティション毎に上記不揮発性メモリに記憶させる
【請求項２】  
上記テープの使用回数に関する情報は、テープの通過回数である
　
イ．「【０００６】
【発明が解決しようとする課題】磁気テープは、使用を重ねていくに伴い消耗してくる。そこで、テープの所定の領域に、テープカセットの使用回数等の履歴情報を記録させ、このテープカセットの所定領域の履歴情報からテープの使用回数を判断し、テープが所定回数以上使用しされていたら、テープカセットを交換するようにすることが考えられる。
【０００７】ところが、テープの所定領域にテープカセットの履歴情報を記録させるようにした場合には、その領域を再生しなければ、テープの履歴情報を得ることができない。また、テープカセットは、テープの記録情報を保護するために、書込み禁止の状態に設定されることがある。このように書込み禁止の状態に設定されていると、履歴情報を書込もうとしても、書込みが禁止されてしまう。このため、正しいテープの履歴情報を残せない。
【０００８】上述のように、不揮発性メモリを有するテープカセットでは、テープの情報を記憶させることができる。そこで、この不揮発性メモリに、テープの履歴に関する情報を記憶させることが考えられる。不揮発性メモリにテープの履歴情報を記憶させるようにすれば、テープ位置にかかわらず、テープの履歴情報が即座に読み出せる。また、書込み禁止の状態であっても、テープの履歴情報を更新することが可能である。
【０００９】ところで、テープストリーマドライブには、データの管理を容易とするために、１巻のテープを複数のパーティションに区切って使用することが考えられる。このように、
テープを複数のパーティテョンに分けて使用するようにした場合、パーティション毎に使用される回数が異なり、一部のパーティションの部分の消耗が激しくなるようなことがある。
【００１０】
このようにテープを複数のパーティションに区切って使用するような場合に、テープの使用回数をパーティション毎に管理できると、一部のパーティションの消耗が激しくなったら、他のパーティションにデータを移すというような処理が行なえる。このため、１巻のテープの履歴情報ばかりでなく、パーティション毎の履歴に関する情報を記憶できるようにすることが望まれる。
【００１１】したがって、この発明の目的は、テープの履歴情報が正確に保存でき、このテープの履歴に関する情報を簡単に利用できるデータ記録／再生方法及びテープカセットを提供することにある。
【００１２】この発明の他の目的は、パーティション毎のテープの履歴に関する情報を管理することができるデータ記録／再生方法及びテープカセットを提供することにある。
【００１３】
【課題を解決するための手段】この発明は、ディジタルデータが記録される磁気テープと、磁気テープに関連する情報が記憶される不揮発性メモリとを備え、磁気テープを複数のパーティションに分割し、各パーティション毎にデータを記録すると共に、テープの使用回数に関する情報をパーティション毎に不揮発性メモリに記憶させるようにしたテープカセットである。
【００１４】この発明は、磁気テープを複数のパーティションに分割し、各パーティション毎にデータを記録すると共に、テープの履歴に関する情報をパーティション毎に不揮発性メモリに記憶させるようにしたデータ記録／再生方法である。
【００１５】テープカセットには、不揮発性メモリが内蔵される。この不揮発性メモリに、テープの履歴に関する情報がパーティション毎に記憶される。このパーティション毎のテープの履歴に関する情報を用いて、パーティション毎にテープを管理することができる。
【００１６】
【発明の実施の形態】以下、この発明の一実施例について図面を参照して説明する。
図１は、この発明が適用できるテープストリーマドライブの一例を示すものである。
【００１７】テープカセット１には、図２に示すように、リール２Ａ及び２Ｂが配設され、このリール２Ａ及び２Ｂの間に、テープ幅８ｍｍの磁気テープ３が巻装される。この磁気テープ３に、ディジタルデータが記録／再生される。また、テープカセット１には、不揮発性メモリ４が配設される。不揮発性メモリ４のモジュールからは、プラス５Ｖの電源端子５Ａと、データ入出力力端子５Ｂと、クロック入力端子５Ｃと、接地端子５Ｄとが導出される。
不揮発性メモリ４には、テープカセット毎の製造年月日や製造場所、テープの厚さや長さ、材質、各パーティションの管理情報、ユーザ情報等が記憶される
　
ウ．「【００２０】図１において、１１は回転ドラムである。
回転ドラム１１には、記録ヘッド１２Ａ及び１２Ｂ、再生ヘッド１３Ａ及び１３Ｂが配置される。
【００２１】
回転ドラム１１に、テープカセット１から引き出された磁気テープ３が巻き付けられる。回転ドラム１１は、ドラムモータ１４により回転される。また、磁気テープ３は、キャプスタンモータ及びピンチローラ（図示せず）により送られる。ドラムモータ１４は、メカコントローラ１７の制御の基に回転される。
【００２２】磁気テープ３への記録データは、変調／復調回路１８で変調され、ＲＦアンプ１９を介して、記録ヘッド１２Ａ及び１２Ｂに供給される。
記録ヘッド１２Ａ及び１２Ｂにより磁気テープ３に傾斜トラックに沿ってデータが記録される。
【００２３】
磁気テープ３のデータは、再生ヘッド１３Ａ及び１３Ｂにより再生される。
　
エ．「【００２９】
テープカセット１には、ＭＩＣ（Memory In Cassette）と呼ばれる不揮発性メモリ４が設けられている。システムコントローラ１５により、不揮発性メモリ４にデータが入／出力される。
【００３０】図４及び図５は、
磁気テープ３に記録されるデータ
サーチ等に用いる６バイトのＩＤデータＡ２
　
オ．「【００３３】
このテープストリーマドライブでは、図７に示すように、１本のテープを複数のパーティションＰ０、Ｐ１、Ｐ２、…に分けて使用することができる。パーティションの数は、２５６まで設定することができる。
　
カ．「【００４７】
図９は、不揮発性メモリ４のデータ構造を示すものである。
パーティションの情報が記録される
　
キ．「【００８２】Ｃ５は、パーティション情報セルである。このセルＣ５には、パーティションの履歴の情報が蓄えられる。パーティションの履歴には、パーティション毎のロードカウント数、アクセスカウント数が含まれる。
更に、このパーティション情報セルには、各パーティション毎にライト許可、リード許可、ライトリトライ許可、リードリトライ許可を設定するための情報が含まれている。
【００８４】図１０は、パーティション情報の内容を示すものである。
パーティション情報には、パーティションをロードした回数（ＬｏａｄＣｏｕｎｔ）Ｇ１、パーティョンをアクセスした回数（ＡｃｃｅｓｓＣｏｕｎｔ）Ｇ２や、パーティションの更新回数（ＵｐｄａｔｅＲｅｐｌａｃｅＣｏｕｎｔ）Ｇ３等の履歴情報が含められる。これらの履歴情報から、テープのダメージが推察でき、テープダメージに応じたテープ管理が行なえる。
　
　上記記載事項及び図面を総合勘案して、テープストリーマドライブについてまとめると、引用例には、
「磁気テープにデータを記録する記録ヘッドと、
　磁気テープのデータを再生する再生ヘッドと、
　記録ヘッド及び再生ヘッドが配置され、テープカセットから引き出された磁気テープが巻き付けられる回転ドラムと、
　回転ドラムを回転させるドラムモータと、
　磁気テープを送るキャプスタンモータ及びピンチローラと、
　テープカセットに設けられたＭＩＣ（Memory In Cassette）と呼ばれる不揮発性メモリにデータを入／出力するシステムコントローラと、
を備え、
　１本の磁気テープを複数（２５６まで）のパーティションに分けて使用することができ、
　上記不揮発性メモリは、磁気テープの通過回数をパーティション毎に記憶し、更に、各パーティション毎にライト許可、リード許可、ライトリトライ許可、リードリトライ許可を設定するための情報が記録され、
　磁気テープには、サーチ等に用いるＩＤデータが記録される
テープストリーマドライブ。」
との発明(以下「引用発明」という。)が記載されていると認める。
　
４．対比
　本願発明と引用発明とを対比する。
（１）引用発明の「磁気テープ」は、本願発明の「磁気テープ」に相当する。
　
（２）引用発明の「テープカセット」は、本願発明の「テープカセット」に相当する。
　
（３）引用発明の
「磁気テープにデータを記録する記録ヘッドと、
　磁気テープのデータを再生する再生ヘッドと、
　記録ヘッド及び再生ヘッドが配置され、テープカセットから引き出された磁気テープが巻き付けられる回転ドラムと、
　回転ドラムを回転させるドラムモータと、
　磁気テープを送るキャプスタンモータ及びピンチローラ」
からすると、引用発明は、本願発明の「磁気テープが収納されたテープカセットが装填された際に、その磁気テープに対して情報の記録または再生を行なうことができるテープドライブ手段」を備えていることは明らかである。
　
（４）引用発明の「ＭＩＣ（Memory In Cassette）と呼ばれる不揮発性メモリ」は、本願発明の「メモリ」に相当する。
　
（５）引用発明の「各パーティション毎にライト許可、リード許可、ライトリトライ許可、リードリトライ許可を設定するための情報」は、パーティションが磁気テープを分けたものであるから、本願発明の「磁気テープに対する記録または再生を管理するための管理情報」に相当する。
　
（６）引用発明の「テープカセットに設けられたＭＩＣ（Memory In Cassette）と呼ばれる不揮発性メモリにデータを入／出力するシステムコントローラ」及び「上記不揮発性メモリは、磁気テープの通過回数をパーティション毎に記憶し、更に、各パーティション毎にライト許可、リード許可、ライトリトライ許可、リードリトライ許可を設定するための情報が記録され」からすると、引用発明は、当然、本願発明の「装填された上記テープカセットに、上記磁気テープに対する記録または再生を管理するための管理情報を記憶するメモリが備えられている場合に、そのメモリに対して管理情報の読み出しまたは書込みを行なうことができるメモリドライブ手段」を備えているといえる。
　
（７）引用発明の「パーティション」は、本願発明の「パーティション」に相当する。
　
（８）引用発明は、「１本の磁気テープを複数（２５６まで）のパーティションに分けて使用する」ことができ、かつ、「磁気テープには、サーチ等に用いるＩＤデータが記録される」ものである。また、本願出願時の技術常識（必要であれば、国際公開第９６／３５２０９号の明細書第１８頁第１〜１８行目を参照されたい。）を参酌するに、磁気テープに複数のパーティションが存在する場合に、希望のパーティションをサーチできるようにすることは必要不可欠である。
　してみれば、引用発明において、希望のパーティションをサーチするべく、磁気テープを送るキャプスタンモータ等の動作を、磁気テープ上の現在位置から希望のパーティションの先頭位置等まで磁気テープを送るように制御する手段（本願発明の「上記テープドライブ手段の動作として、上記磁気テープ上の現在位置から所要のパーティションにおける目標位置にアクセスできるように制御を実行することのできるアクセス制御手段」に相当）は、当然に備わっているものと解される。
　
（９）引用発明の「テープカセットに設けられたＭＩＣ（Memory In Cassette）と呼ばれる不揮発性メモリ」、「１本の磁気テープを複数（２５６まで）のパーティションに分けて使用することができ」及び「上記不揮発性メモリは、磁気テープの通過回数をパーティション毎に記憶し」からすれば、引用発明は、本願発明の「装填されたテープカセットのメモリに、上記磁気テープに形成されるパーティションごと対応する情報として、パーティションが記録再生位置に導出されたものとする回数を示すアクセス回数情報が記憶可能とされている」を備えている。
　
（１０）引用発明において、「テープカセットに設けられたＭＩＣ（Memory In Cassette）と呼ばれる不揮発性メモリにデータを入／出力するシステムコントローラ」、「上記不揮発性メモリは、磁気テープの通過回数をパーティション毎に記憶し」及び引用例の００１０段落の記載からすれば、あるパーティションを通過したら、システムコントローラは、不揮発性メモリに記憶された磁気テープの通過回数のうち当該パーティションに対応するものをインクリメントして更新する（本願発明の「各々のパーティションにに対応するアクセス回数情報をインクリメントして更新するように、」「上記メモリドライブ手段を制御するメモリドライブ制御手段」に相当。）ことは明らかである。
　
（１１）引用発明の「テープストリーマドライブ」は、本願発明の「テープドライブ装置」に相当する。
　
　以上のことから、引用発明と本願発明との＜一致点＞及び＜相違点＞は、次のとおりである。
　
＜一致点＞
「磁気テープが収納されたテープカセットが装填された際に、その磁気テープに対して情報の記録または再生を行なうことができるテープドライブ手段と、
　装填された上記テープカセットに、上記磁気テープに対する記録または再生を管理するための管理情報を記憶するメモリが備えられている場合に、そのメモリに対して管理情報の読み出しまたは書込みを行なうことができるメモリドライブ手段と、
　上記テープドライブ手段の動作として、上記磁気テープ上の現在位置から所要のパーティションにおける目標位置にアクセスできるように制御を実行することのできるアクセス制御手段と、
　装填されたテープカセットのメモリに、上記磁気テープに形成されるパーティションごと対応する情報として、パーティションが記録再生位置に導出されたものとする回数を示すアクセス回数情報が記憶可能とされている場合に、各々のパーティションに対応するアクセス回数情報をインクリメントして更新するように、上記メモリドライブ手段を制御するメモリドライブ制御手段と
　を備えているテープドライブ装置。」
　
＜相違点＞
（１）相違点１
　アクセス回数情報の更新につき、本願発明は、「上記アクセス制御手段の制御によるアクセス動作の実行に際して、上記現在位置を含む現パーティションと、上記目標位置を含む目標パーティションと、これら現パーティションと目標パーティションの間に１以上の中間パーティションがある場合においてはこの中間パーティションを含む」各々のパーティションに対応するアクセス回数情報をインクリメントして更新するのに対し、引用発明は、そのような特定がない点。
　
（２）相違点２
　アクセス回数情報をインクリメントして更新するようにメモリドライブ手段を制御することにつき、本願発明は、「そのアクセス動作完了後において」行うのに対し、引用発明は、そのような特定がない点。
　
５．当審の判断
（１）相違点について
　引用発明においては、磁気テープにパーティションを３以上設定することができるため、希望のパーティションをサーチしてアクセスするとき（上記「４．対比（８）」参照。）に、現在位置を含む現パーティションと、希望のパーティションと、これら現パーティションと希望のパーティションの間に１以上の中間パーティションがある場合においてはこの中間パーティションを含む各々のパーティションを通過することになる。
　これらの中間パーティションを含む各々のパーティションに対しても、上記「４．対比（１０）」に記載した「あるパーティションを通過したら、システムコントローラは、不揮発性メモリに記憶された磁気テープの通過回数のうち当該パーティションに対応するものをインクリメントして更新する」を行うことは当業者にとって当然になし得ることである。
　
（２）相違点２について
　管理情報の更新を、アクセス動作完了後の、カセットのアンロード時に一括して行うことは周知技術（例えば、特開平７−２４４９２６号公報の段落【００１６】、【００４２】〜【００４７】、特開平１０−２１４４８１号公報の段落【００２３】、【００３４】〜【００３８】、特開平５−８１７７３号公報の段落【００３１】、【００４１】、【００４２】等参照）であるから、引用発明においても、不揮発性メモリに記憶された磁気テープの通過回数の更新を、アクセス動作完了後の、カセットのアンロード時（本願発明の「そのアクセス動作完了後において」に相当）に一括して行うことは、当業者が容易に想到し得ることである。
　
（３）効果について
　本願発明の効果は、引用発明及び周知技術から当業者が予測可能なものであって、格別なものとはいえない。
　
６．むすび
　以上のとおり、本願の請求項１に係る発明は、引用発明及び周知技術に基づいて当業者が容易に発明をすることができたものであるから、特許法第２９条第２項の規定により特許を受けることができない。
　したがって、本願は、拒絶すべきものである。
　
　よって、結論のとおり審決する。